(57)【特許請求の範囲】
【請求項１】
主制御局または主制御局に従属する副制御局として動作する第１の装置と、
主制御局として動作する第２の装置と、
従属局として動作する第３の装置を備え、
前記第１の装置が時分割多重通信による第１の制御信号を第１のタイミングで送信し、前記第２の装置が時分割多重通信による第２の制御信号を送信し、前記第３の装置が前記第１および第２の制御信号を受信することにより相互の無線通信を行う無線通信システムであって、
前記第２の装置は第２のタイミングで前記第２の制御信号を送信し、
前記第１の装置は、
前記第２の装置が送信する前記第２の制御信号を受信することにより前記第２のタイミングに同期して前記第１の制御信号を送信する副制御局としての動作を行い、
前記第２の装置が送信する前記第２の制御信号の受信動作を開始したときに同期捕捉タイマを起動し、
前記第２の装置と同期できないまま前記同期捕捉タイマが満了すると再捕捉タイマを起動するとともに前記再捕捉タイマが満了するまで自らの第１のタイミングで前記第１の制御信号を送信する主制御局としての動作を行って前記第３の装置と通信し、
前記再捕捉タイマが満了すると再捕捉カウンタを加算し、
再捕捉カウンタが最大値に達したら前記再捕捉タイマを起動せずに自らの第１のタイミングで前記第１の制御信号を送信する主制御局としての動作を行って前記第３の装置と通信し、
前記第２の装置と同期できず主制御局としての動作を継続している状態で前記第３の装置により同期捕捉再開要求をされた場合、前記第１のタイミングでの前記第１の制御信号の送信を中止し、前記第２の装置が送信する前記第２の制御信号を受信するための受信動作を行うことを特徴とする無線通信システム。
【請求項２】
主制御局または副制御局として動作する第１の装置と、
従属局として動作する第３の装置で構成され、
前記第１の装置が時分割多重通信による第１の制御信号を第１のタイミングで送信し、
前記第３の装置が前記制御信号を受信することにより相互の無線通信を行う無線通信装置であって、
前記第１の装置は、
無線信号の送受信を行う無線部と、
送信信号の時分割多重制御を行うフレーム処理部を備え、
主制御局として動作する他の装置が第２のタイミングで送信する前記第２の制御信号を受信することにより前記第２のタイミングに同期して前記第１の制御信号を送信して前記第３の装置と通信を行う副制御局としての動作を行い、
前記他の装置が送信する前記第２の制御信号の受信動作を開始したときに同期捕捉タイマを起動し、
前記他の装置と同期できないまま前記同期捕捉タイマが満了すると再捕捉タイマを起動するとともに前記再捕捉タイマが満了するまで自らの第１のタイミングで前記第１の制御信号を送信する主制御局としての動作を行って前記第３の装置と通信し、
前記再捕捉タイマが満了すると再捕捉カウンタを加算し、
再捕捉カウンタが最大値に達したら前記再捕捉タイマを起動せずに自らの第１のタイミングで前記第１の制御信号を送信する主制御局としての動作を行って前記第３の装置と通信し、
前記他の装置と同期できない状態の時に前記第３の装置により同期捕捉再開要求をされた場合、第１のタイミングでの前記第１の制御信号の送信を中止し、前記第２の装置が送信する前記第２の制御信号を受信するための受信動作を行うことを特徴とする無線通信装置。
【発明の詳細な説明】
【技術分野】
【０００１】
本発明は、複数の制御局と従属局間で時分割多重通信を行う無線通信システムに関するものである。
【背景技術】
【０００２】
１つの制御局と複数の従属局とが、時分割多重通信を行う無線通信システムがある。例えば、図８に示すように、コードレス電話システム３は、コードレス電話親機３ａを制御局とし、複数のコードレス電話子機３ｂを従属局とすれば、電話着信があった場合、使用者はコードレス電話子機３ｂで通話でき、コードレス電話親機３ａまで通話しに行かなくても良いので利便性が高い。
【０００３】
一方、無線ドアホンシステム２は、玄関子機２ａと接続されたドアホン親機２ｂを制御局とし、ドアホン子機２ｃを従属局とすれば、来訪者の玄関子機２ａからの呼び出しがあった場合、ドアホン親機２ｂから離れた場所にいてもドアホン子機２ｃで応答できるので、コードレス電話システム３と同様に利便性が高い。
【０００４】
又、更にコードレス電話システム３と無線ドアホンシステム２の利便性を高めるために、コードレス電話親機３ａを無線通信システム全体の主制御局とし、ドアホン親機２ｂをその従属局として無線接続させることで、コードレス電話親機３ａとドアホン親機２ｂが同期し、コードレス電話親機３ａやコードレス電話子機３ｂでドアホンの応答等ができる無線通信システムが提案されている。
【０００５】
なお、複数の親機で同一のコードレス電話システムを構成させる場合において、複数の親機の中の基準となる親機から送信される制御信号を他の親機で受信させ、この制御信号の受信タイミングに同期させて他の親機から制御信号を送信するようにしたものが知られている（特許文献１）。
【０００６】
また、屋外で利用する携帯電話機能と、主に自宅周辺で利用するコードレス電話の機能を有するデジタル方式の無線電話装置親機において、公衆基地局のタイムスロットのタイミングを抽出するタイミング抽出部を設け、無線電話装置親機が公衆基地局のタイムスロットのタイミングを基に無線電話装置子機に対するタイムスロットのタイミングを設定するものが知られている（特許文献２）。
【特許文献１】特開平８−２５１６６１号公報
【特許文献２】特開平７−８７５５６号公報
【発明の開示】
【発明が解決しようとする課題】
【０００７】
しかしながら、上記のコードレス電話システムと無線ドアホンシステムを無線で接続した無線通信システムでは、ドアホン親機がコードレス電話親機の制御信号の受信ができなくなると、ドアホン親機はコードレス電話親機が送信する制御信号を受信するために制御信号の送信を停止し連続受信状態にして再捕捉を行うため、ドアホン親機とコードレス電話親機が同期確立するまでの間はドアホン子機はドアホン親機と同期確立できずに圏外になることから、無線干渉がしばらく続いてドアホン親機がコードレス電話親機の制御信号の受信できない時間が長い場合は、その間玄関子機からの呼び出しがあってもドアホン親機はドアホン子機へ報知できないという問題を有していた。
【０００８】
そこで本発明は、異なるサービスを提供するコードレス電話システムと無線ドアホンシ
ステムを無線で接続する無線通信システムにおいて、無線エラーによるシステム障害が発生しても、それぞれのサービスの利便性を損なわず、システム障害からの復旧を行う無線通信システムの提供を目的とする。
【課題を解決するための手段】
【０００９】
本発明は、副制御局が主制御局と同期できないまま同期捕捉タイマが満了すると再捕捉タイマを起動するとともに再捕捉タイマが満了するまで自らのタイミングで制御信号を送信する主制御局としての動作を行ない、前記再捕捉タイマが満了すると再捕捉カウンタを加算し、この再捕捉カウンタが最大値に達したら前記再捕捉タイマを起動せずに自らのタイミングで制御信号を送信する主制御局として動作し、同期要求手段を備えた子機により同期捕捉再開要求をされた場合は自らのタイミングでの制御信号の送信を中止し、前記主制御局が送信する制御信号の受信を行う副制御局としての動作に移ることを主要な特徴とする。
【発明の効果】
【００１０】
本発明の無線通信システムは、副制御局が主制御局と同期できない場合は再捕捉カウンタが最大値に達するまでは主制御局としての動作と従属局としての動作を繰り返し、捕捉カウンタが最大値に達した後は、使用者の操作によって同期捕捉再開要求をされた場合に再び主制御局が送信する制御信号の受信を行い、従属局からの操作によって、システム障害からの復旧の再開を行う利点を有するものである。
【００１１】
又、副制御局が一定時間繰り返しても最終的に主制御局と同期できなかった場合、副制御局は自らの従属局に対して主制御局としての動作を続けることにより、主制御局が故障などにより存在しなくなった場合でも、単独でのサービスは継続できるという利点を有する。
【発明を実施するための最良の形態】
【００１３】
本発明は、異なるサービスを提供する無線通信システム間を無線で接続する無線通信システムにおいて、無線エラーによるシステム障害が発生しても、それぞれのサービスの利便性を損なわず、システム障害からの復旧を行うという目的を、副制御局が主制御局と同期できない場合再捕捉カウンタが最大値に達するまで主制御局としての動作と従属局としての動作を繰り返し、捕捉カウンタが最大値に達した後は、使用者の操作によって同期捕捉再開要求をされた場合に再び主制御局が送信する制御信号の受信を行い、主制御局に対して従属局としての動作に移ることにより実現した。
【００１４】
上記課題を解決するためになされた第１の発明は、主制御局または主制御局に従属する副制御局として動作する第１の装置と、主制御局として動作する第２の装置と、従属局として動作する第３の装置を備え、前記第１の装置が時分割多重通信による第１の制御信号を第１のタイミングで送信し、前記第２の装置が時分割多重通信による第２の制御信号を送信し、前記第３の装置が前記第１および第２の制御信号を受信することにより相互の無線通信を行う無線通信システムであって、前記第２の装置は第２のタイミングで前記第２の制御信号を送信し、前記第１の装置は、前記第２の装置が送信する前記第２の制御信号を受信することにより前記第２のタイミングに同期して前記第１の制御信号を送信する副制御局としての動作を行い、前記第２の装置が送信する前記第２の制御信号の受信動作を開始したときに同期捕捉タイマを起動し、前記第２の装置と同期できないまま前記同期捕捉タイマが満了すると再捕捉タイマを起動するとともに前記再捕捉タイマが満了するまで自らの第１のタイミングで前記第１の制御信号を送信する主制御局としての動作を行って前記第３の装置と通信し、前記再捕捉タイマが満了すると再捕捉カウンタを加算し、再捕捉カウンタが最大値に達したら前記再捕捉タイマを起動せずに自らの第１のタイミングで前記第１の制御信号を送信する主制御局としての動作を行って前記第３の装置と通信し、前記第２の装置と同期できず主制御局としての動作を継続している状態で前記第３の装置により同期捕捉再開要求をされた場合、前記第１のタイミングでの前記第１の制御信号の送信を中止し、前記第２の装置が送信する前記第２の制御信号を受信するための受信動作を行うことを特徴としたものであり、異なるサービスを提供するシステム、たとえばコードレス電話システムと無線ドアホンシステムを無線で接続する無線通信システムにおいて、システム障害が発生した場合、それぞれのサービスの利便性を損なわず、システム障害からの復旧を行う利点を有するものであり、また第１の装置側で操作を行うことなく第３の装置からの操作によってシステム障害からの復旧の再開を行う利点を有するものである。
【００１５】
上記課題を解決するためになされた第２の発明は、第１の装置は、第２の装置と同期できない場合は、自らのタイミングで時分割多重の時間の基準となる制御信号を送信する主制御局としての動作を行い、第３の装置と無線通信を行う時間を次第に長くしていきながら第２の装置と同期するまで主制御局としての動作と副制御局としての動作を繰り返すことを特徴としたものであり、たとえば異なるサービスを提供するコードレス電話システムと無線ドアホンシステムを無線で接続する無線通信システムにおいて、システム障害が発生した場合、たとえば第１の装置が主制御局となるコードレス電話システム単独での動作を優先させることでサービスの利便性を損なわず、システム障害からの復旧を行う利点を有するものである。
【００１６】
上記課題を解決するためになされた第３の発明は、第１の装置は、第２の装置と同期できない場合は、第２の装置が送信する制御信号の受信を行う副制御局としての動作を行う時間を次第に短くしていきながら第２の装置と同期するまで主制御局としての動作と副制御局としての動作を繰り返すことを特徴としたものであり、異なるサービスを提供するステムを無線で接続する無線通信システムにおいて、システム障害が発生した場合、たとえば第１の装置が主制御局となるコードレス電話システム単独での動作を優先させることでサービスの利便性を損なわず、システム障害からの復旧を行う利点を有するものである。
【００１７】
上記課題を解決するためになされた第４の発明は、第１の装置は、第２の装置と同期するまで、主制御局としての動作と副制御局としての動作を繰り返した結果、第２の装置と同期できなかった場合、主制御局としての動作を継続することを特徴としたものであり、第２の装置が故障などにより存在しなくなった場合でも、単独でのサービスは継続できるという利点を有する。
【実施例】
【００１９】
（実施の形態１）
以下、本発明の実施の形態１について、図１から図５に基づいて説明する。
【００２０】
図１は、本発明の実施の形態に係る無線通信システムの構成図である。
【００２１】
図２は、本発明の実施の形態に係る無線ドアホンシステムの構成図である。
【００２２】
図３から図５は、本発明の実施の形態に係る無線通信システムの動作を説明するシーケンス図である。
【００２３】
図１に示すように、本発明の実施の形態に係る無線通信システムは、コードレス電話システム３と無線ドアホンシステム２から構成される。コードレス電話システム３は、コードレス電話システム３の制御局として動作する無線通信装置であるコードレス電話親機３ａと、コードレス電話親機３ａの従属局として動作する無線通信装置であるコードレス電話子機３ｂから構成される。また、無線ドアホンシステム２は、無線ドアホンシステム２の制御局として動作する無線通信装置であるドアホン親機２ｂと、ドアホン親機２ｂに有
線接続された通話部と呼出検知部を備えた玄関子機２ａと、ドアホン親機２ｂの従属局として動作する無線通信装置であるドアホン子機２ｃから構成される。
【００２４】
本実施の形態の無線通信システムでは、コードレス電話親機３ａが主制御局、ドアホン親機２ｂが副制御局、無線子機４がコードレス電話親機３ａかつドアホン親機２ｂの従属局、ドアホン子機２ｃがドアホン親機２ｂの従属局、コードレス電話子機３ｂがコードレス電話親機３ａの従属局となり、無線による時分割多重で通信している。このような構成とすることにより、コードレス電話システム３と無線ドアホンシステム２の相互通信が可能となる。その結果、コードレス電話子機３ｂとドアホン子機２ｃ間の通信等が可能となり、また無線子機４は１台で直接両システムの親機の子機となることができるため、さらに利便性が高くなる。
【００２５】
図２に示すように、無線ドアホンシステム２の玄関子機２ａとドアホン親機２ｂとは有線で接続されている。玄関子機２ａは、ドアホン呼出検知部１０１と、ドアホン通話部１０２を備えている。ドアホン呼出検知部１０１は、来訪者が呼び出しボタンを押下したら、ドアホン呼び出しを検知してドアホン呼び出し通知としてドアホン親機２ｂへ出力する。ドアホン通話部１０２は、スピーカーとマイクを備えており、来訪者と通話する機能を持つ。
【００２６】
ドアホン親機２ｂは、無線部２０１と、制御信号検出部２０２と、制御信号送信部２０３と、同期処理部２０４と、制御部２０５と、データ受信部２０６と、データ送信部２０７と、報知部２０８と、ドアホン親機操作部２０９と、ドアホン親機通話部２１０で構成される。
【００２７】
無線部２０１は、時分割多重通信を行うために変復調を行って、アンテナを介して送受信する。制御信号検出部２０２は、無線部２０１を介して受信した受信信号の中から、コードレス電話親機３ａから定期的に送信される制御信号の検出を行う。制御信号送信部２０３は、ドアホン親機２ｂの従属局であるドアホン子機２ｃや無線子機４に対して制御信号を送信する。同期処理部２０４は、制御信号検出部２０２で制御信号を検出させるために無線部２０１を連続受信状態にしたり、制御信号送信部２０３に制御信号を送信させたりして同期処理を行う。
【００２８】
制御部２０５は、玄関子機２ａおよびドアホン親機２ｂを総括制御するものである。
データ受信部２０６は、受信信号の中からドアホン親機２ｂ宛ての受信データ処理を行い、制御部２０５に受信データを出力する。この受信データには、ドアホン子機２ｃで応答者が応答操作を行った場合に受信するドアホン呼出応答、ドアホン子機２ｃからの音声等が含まれる。
【００２９】
データ送信部２０７は、玄関子機２ａからのドアホン呼出及び音声を、制御部２０５を介して入力し、送信データ処理を行い、無線部２０１を介して送信する。報知部２０８は、玄関子機２ａからのドアホン呼出を、制御部２０５を介して入力した場合、ドアホン親機通話部２１０が備えているスピーカーにより報知する。
【００３０】
ドアホン親機操作部２０９は、応答ボタンを備え、報知部２０８でドアホン呼び出しが報知された際、応答者が応答ボタンを押すことにより、制御部２０５は玄関子機２ａのドアホン通話部１０２とドアホン親機２ｂのドアホン親機通話部２１０間の通話を可能とする。
【００３１】
ドアホン親機通話部２１０は、スピーカーとマイクを備えており、制御部２０５を介して、応答者が玄関子機２ａのドアホン通話部１０２と通話を行う機能を持つ。
【００３２】
以上のように構成される本発明の実施の形態に係る無線通信システムの動作の説明を行う。
【００３３】
まず、ドアホン親機２ｂ（副制御局）が電源投入直後の場合、またはコードレス電話親機３ａ（主制御局）の通信圏内であったが無線エラーによりコードレス電話親機３ａ（主制御局）からの制御信号を受信できなくなったため自装置を再起動した場合のドアホン親機２ｂ（副制御局）の動作を説明する。
【００３４】
図３に示すように、最初に同期処理部２０４は、同期捕捉タイマ（Ｓｔ１）を起動し、無線部２０１を連続受信状態にし、コードレス電話親機３ａ（主制御局）の同期捕捉動作を開始する。無線部２０１を介して、制御信号検出部２０２が、コードレス電話親機３ａ（主制御局）からの制御信号を検出すると、同期処理部２０４へ制御信号検出成功通知を出力する。制御信号検出成功通知が入力された同期処理部２０４は、コードレス電話親機３ａ（主制御局）との同期を確立する。そして、制御信号送信部２０３は、コードレス電話親機３ａ（主制御局）から受信する制御信号が含まれるスロット以外のスロット上で、コードレス電話親機３ａからの制御信号のタイミングに同期して制御信号を送信し、この制御信号はドアホン子機２ａで受信される他、兼用子機である無線子機４でも受信可能となる。
【００３５】
このように動作することで、ドアホン親機２ｂ（副制御局）はコードレス電話親機３ａ（主制御局）に同期してコードレス電話親機３ａの従属局としての動作するとともに、さらにドアホン子機２ｃ（従属局）と無線子機４（従属局）はドアホン親機２ｂ（副制御局）に同期するため、結果的に無線通信システム全体がコードレス電話親機３ａ（主制御局）に同期することになる。
【００３６】
ある時、例えば来訪者が玄関子機２ａのドアホン呼出検知部１０１を操作すると、その信号は有線によりドアホン親機２ｂ（副制御局）の伝えられ、ドアホン親機２ｂはドアホン呼出情報を無線部２０１を介して送信する。このドアホン呼出情報はドアホン親機２ｂの従属局であるドアホン子機２ｃや兼用子機である無線子機４に送られる。またドアホン呼出情報はコードレス電話親機３ａにも送られる。
【００３７】
玄関子機２ａからの信号により、ドアホン親機２ｂの報知部２０８は鳴動報知する。応答者がドアホン親機操作部２０９の応答ボタンを押すことにより、制御部２０５は玄関子機２ａのドアホン通話部１０２とドアホン親機２ｂのドアホン親機通話部２１０間の通話を可能とする。
【００３８】
また応答者がドアホン子機２ｃの応答ボタンを押すことにより、制御部２０５は無線部２０１を介してドアホン子機２ｃと通話路を張り、玄関子機２ａとドアホン子機２ｃ間の通話を可能とする。また応答者が無線子機４の応答ボタンを押した場合も同様に、制御部２０５は無線部２０１を介して無線子機４と通話路を張り、玄関子機２ａとドアホン子機２ｃ間の通話を可能とする。
【００３９】
またドアホン親機２ｂから呼出情報の転送を受けたコードレス電話親機３ａは、その従属局として動作するコードレス電話子機３ｂに呼出情報を送る。このコードレス電話子機３ｂにおいて応答者が応答ボタンを押した場合も、制御部２０５は無線部２０１を介してコードレス電話子機３ｂとの通話路を張り、玄関子機２ａとコードレス電話子機３ｂとの間でも通話が可能になる。
【００４０】
次に、ドアホン親機２ｂ（副制御局）がコードレス電話親機３ａ（主制御局）の同期捕
捉動作を開始したが、コードレス電話親機３ａ（主制御局）からの制御信号を検出できなかった場合の動作を説明する。
【００４１】
図４に示すように、最初に同期処理部２０４は、同期捕捉タイマ（Ｓｔ１）を起動し、無線部２０１を連続受信状態にし、コードレス電話親機３ａ（主制御局）の同期捕捉動作を開始する。コードレス電話親機３ａ（主制御局）からの制御信号を、無線部２０１を介して制御信号検出部２０２が検出できないまま同期捕捉タイマ（Ｓｔ１）が満了すると、同期処理部２０４は、再捕捉タイマ（Ｒｔ１）を起動し、自己のスロットタイミングで制御信号送信部２０３に、無線部２０１を介してドアホン子機２ｃ（従属局）や無線子機４（従属局）に制御信号を送信開始させる。このように動作することで、ドアホン子機２ｃ（従属局）と無線子機４（従属局）はドアホン親機２ｂ（副制御局）に同期するため、コードレス電話親機３ａ（主制御局）と同期はしていないが、無線ドアホンシステムは単独で動作可能になる。
【００４２】
そして、無線ドアホンシステムが単独で動作中に、再捕捉タイマ（Ｒｔ１）が満了すると、一旦単独動作を中止してコードレス電話親機３ａ（主制御局）が送信する制御信号を受信するための受信動作を行う。すなわち再捕捉タイマ（Ｒｔ１）が満了すると、ドアホン親機２ｂは制御信号の送信を停止し、再起動時や電源投入時と同様にコードレス電話親機３ａ（主制御局）が送信する制御信号を受信するための受信動作を行い、主制御局との同期捕捉の為の動作を再開する。
【００４３】
このように、ドアホン親機２ｂはコードレス電話親機３ａ（主制御局）との同期を確立するとコードレス電話親機３ａの従属局としての動作し、同期が確立しなければ  無線ドアホンシステムの制御局として単独動作の状態になり、再捕捉タイマ（Ｒｔ１）が満了すると再び主制御局との同期捕捉の為の動作を再開するという具合に無線システム全体のサービスを可能にするまで、コードレス電話親機３ａ（主制御局）の同期捕捉とドアホンシステムの単独動作を繰り返す。
【００４４】
なお、上記の動作で、再捕捉タイマ（Ｒｔ１）の値を次第に長くしてドアホン子機２ｃや無線子機４がドアホン圏内の時間を次第に長くしていくことにより、無線ドアホンシステムの単独動作時間を長くすることができる。
【００４５】
また上記の動作で、同期捕捉タイマ（Ｓｔ１）の値を次第に短くしてコードレス電話親機３ａ（主制御局）を同期捕捉する時間、即ちドアホン子機２ｃ（従属局）や無線子機４（従属局）がドアホン圏外の時間を次第に短くしていくことにより、無線ドアホンシステムの単独動作時間を長くすることができる。
【００４６】
次に、ドアホン親機２ｂ（副制御局）がコードレス電話親機３ａ（主制御局）の同期捕捉動作を開始したが、最終的にコードレス電話親機３ａ（主制御局）からの制御信号を検出できなかった場合の動作を説明する。
【００４７】
図５に示すように、最初に同期処理部２０４は、無線部２０１を連続受信状態にし、コードレス電話親機３ａ（主制御局）の同期捕捉動作を開始する。このとき、同期捕捉タイマ（Ｓｔ１）を起動する。コードレス電話親機３ａ（主制御局）からの制御信号を、無線部２０１を介して制御信号検出部２０２が検出できないまま同期捕捉タイマ（Ｓｔ１）が満了すると、同期処理部２０４は、再捕捉カウンタ（Ｒｃｎｔ）が再捕捉最大値（ＭａｘＲｃｎｔ）に達しているかチェックする。
【００４８】
再捕捉カウンタ（Ｒｃｎｔ）とは、再捕捉タイマ（Ｒｔ１）が満了したときに自装置を再起動する前に加算してＥＥＰＲＯＭなどに記憶しておくカウンタであり、再捕捉最大値
（ＭａｘＲｃｎｔ）とは、最大何回再捕捉するかの値であり、再捕捉カウンタ（Ｒｃｎｔ）が再捕捉最大値（ＭａｘＲｃｎｔ）に達するまで、ドアホン親機２ｂ（副制御局）はコードレス電話親機３ａ（主制御局）の再捕捉を行う。再捕捉カウンタ（Ｒｃｎｔ）が再捕捉最大値（ＭａｘＲｃｎｔ）に達していなかったら、同期処理部２０４は、再捕捉タイマ（Ｒｔ１）を起動し、自己のスロットタイミングで制御信号送信部２０３に、無線部２０１を介してドアホン子機２ｃ（従属局）や無線子機４（従属局）に制御信号を送信開始させる。
【００４９】
再捕捉カウンタ（Ｒｃｎｔ）が再捕捉最大値（ＭａｘＲｃｎｔ）に達していたら、同期処理部２０４は、再捕捉タイマ（Ｒｔ１）を起動せずに、自己のスロットタイミングで制御信号送信部２０３に、無線部２０１を介してドアホン子機２ｃ（従属局）や無線子機４（従属局）に制御信号を送信開始させる。このように動作することで、ドアホン子機２ｃ（従属局）と無線子機４（従属局）はドアホン親機２ｂ（副制御局）に同期するため、コードレス電話親機３ａ（主制御局）の同期捕捉は完全に停止するが、無線ドアホンシステムは単独で動作を継続する。
【００５０】
次にドアホン親機２ｂ（副制御局）はコードレス電話親機３ａ（主制御局）の同期捕捉を完全に停止し、無線ドアホンシステムは単独で動作を継続している状態で、ドアホン子機２ｃ（従属局）又は無線子機４（従属局）より再捕捉要求が要求された場合の動作を説明する。
【００５１】
図５に示すように、ドアホン親機２ｂ（副制御局）はコードレス電話親機３ａ（主制御局）の同期捕捉を完全に停止し無線ドアホンシステムは単独で動作を継続している状態のとき、ドアホン子機２ｃ（従属局）又は無線子機４（従属局）のユーザー操作により同期捕捉再開要求が入力されたら、ドアホン子機２ｃ（従属局）又は無線子機４（従属局）は無線リンク接続要求を送信する。ドアホン親機２ｂ（副制御局）のデータ受信部２０６は無線部２０１を介して無線リンク接続要求を受信したら、無線リンク接続要求を制御部２０５に出力する。制御部２０５は、データ受信部２０６から無線リンク接続要求が入力されたら、無線リンクを接続する。その後ドアホン子機２ｃ（従属局）又は無線子機４（従属局）は無線リンクを使って再捕捉要求を送信する。
【００５２】
ドアホン親機２ｂ（副制御局）のデータ受信部２０６は無線部２０１を介して再捕捉要求を受信すると、再捕捉要求を制御部２０５に出力する。制御部２０５は、データ受信部２０６から再捕捉要求が入力されると、同期処理部２０４に再捕捉カウンタ（Ｒｃｎｔ）をクリアさせ、自装置の再起動処理を行う。このように動作することで、ドアホン親機２ｂ（副制御局）の電源を入れ直すことなく、ドアホン子機２ｃ（従属局）又は無線子機４（従属局）からの操作でドアホン親機２ｂ（副制御局）はコードレス電話親機３ａ（主制御局）の同期捕捉を再開する。
【００５３】
以上、本実施の形態では、コードレス電話親機を無線通信システム全体の主制御局、ドアホン親機を無線通信システム全体の副制御局とした場合の例を示したが、コードレス電話親機を副制御局、ドアホン親機を主制御局としても良い。
【００５４】
又、本実施の形態では、従属局としてドアホン子機、コードレス電話子機、無線子機を各１台ずつ備えたものであったが、複数のドアホン子機、コードレス電話子機、無線子機を備えていてもよい。
【００５５】
（実施の形態２）
副制御局であるドアホン親機２ｂを実現するハードウェア構成を図６に示す。
【００５６】
玄関子機２ａとドアホン親機２ｂは、玄関子機２ａから受信した来訪者の映像信号、玄関子機２ａを通じた来訪者との会話音声信号、玄関子機２ａから受信した来訪者の通知信号を分離重畳をするトランジスタ等で構成されている電気的インターフェースである多重分離回路で接続されている。
【００５７】
この多重分離回路のハードウェア構成は、ドアホンインターフェース１００１と、ドアホンインターフェース１００１から出力される玄関子機２ａとドアホン親機２ｂ間の映像信号をこの後段で使用するアナログ映像信号に変換する映像復調ＩＣ１００２と、映像復調ＩＣのアナログ信号をデジタル映像信号に変換するビデオキャプチャＩＣ１００３と、デジタル映像信号を記憶するＳＤＲＡＭ１００６と、デジタルビデオ信号を録画再生などの管理を行うＣＰＵであるＶ８５０ＣＰＵ１００５と、Ｖ８５０ＣＰＵ１００５のプログラムが記憶されているＦＲＡＳＨ  ＲＯＭ１００７と、Ｖ８５０ＣＰＵ１００５プログラムが動作する際に使用するメモリＳＲＡＭ１００８である。
【００５８】
また、玄関子機２ａの来訪者とドアホン親機２ｂの使用者との間で会話をするために、玄関子機２ａ側とのインターフェース信号として電話のような２線信号で通信されているアナログ信号と、ドアホン親機２ｂのドアホン親機通話部２１０を構成するボイススイッチＩＣ１００９と無線通信用のベースバンドＩＣ１０１１とで使用する４線信号のアナログ信号との変換を、２−４変換回路１００９で行っている。
【００５９】
ドアホン親機通話部２１０はマイク１０１５とスピーカ１０１６から構成される。マイク１０１５からボイススイッチ１００９へ親機側で発声した音声が出力される。玄関子機２ａで発声した音声は、ボイススイッチ１００９からスピーカアンプ回路１０１０で電力増幅し、スピーカ１０１６で再生される。音声回路２０６の一部を構成するボイススイッチ１００９が、マイクからの音量とスピーカへの音量を比較し、送話と受話を切り替えるために実装されている。
【００６０】
玄関子機２ａから信号が入力されたことを制御部２０５をメインＣＰＵ１０１７で検知する。メインＣＰＵ１０１７は、呼び出しを検知した場合、報知部２０８でＬＥＤ１０１７を点滅させ、来訪を知らせる。これに応答してドアホン親機側でドアホン親機操作部２０９を操作すると、メインＣＰＵ１０１７がそれを検知し、音声の通話ができるように全体を制御する。
【００６１】
玄関子機２ａからビデオキャプチャＩＣ１００３にアナログ画像信号が入力されると、ビデオキャプチャＩＣ１００３はＳＲＡＭ１００６を用いてアナログ画像信号をデジタル画像信号に変換する。
【００６２】
さらに、Ｖ８５０ＣＰＵ１００５は、デジタル画像信号を録画する、時計タイマー１００４の時刻情報を用いてデジタル画像信号に時刻情報を付加する、などの機能を実現している。ＦＬＡＳＨ  ＲＯＭ１００７に蓄積されたプログラムをＶ８５０ＣＰＵ１００５がＳＲＡＭ１００８を用いて実行することによって実現される。
【００６３】
Ｖ８５０ＣＰＵ１００５で生成された信号がコードレス電話子機３ｂへ出力するためにベースバンドＩＣ１０１１へ出力される。
【００６４】
また、玄関子機２ａからの来訪者の画像を報知部２０８としてのＬＣＤドライバＩＣ１０１９を用いてＬＣＤパネル１０２０に表示する。
【００６５】
ベースバンドＩＣ１０１１は、制御部２０５の一部と制御信号検出部２０２と制御信号送信部２０３と同期処理部２０４とデータ受信部２０７とデータ送信部２０８を実装して
いる。ベースバンドＩＣ１０１１は音声情報、画像情報、制御信号等に、ＴＤＭＡ−ＴＤＤ方式の通信に必要な同期信号とエラー検知用のエラー検出符号を付加し、ＴＤＭＡ方式のフレーム、タイムスロットに合わせて送信データ列を生成し、又、受信した受信データ列から、ＴＤＭＡ方式のフレーム、タイムスロットに合わせてエラー検知の処理を行い、エラーのなかったタイムスロットで受信された、音声情報、制御信号を出力する。
【００６６】
ベースバンドＩＣ１０１１が実行するプログラムの記憶をＦＬＡＳＨ  ＲＯＭ１０１２が実現している。
【００６７】
また、ベースバンドＩＣ１０１１がプログラムを実行する際に使用するメモリを、ＳＲＡＭ１０１３で実現している。また、ドアホン親機と増設親機間の無線通信において、増設親機が親機の同定をするためのＩＤ情報をＥＥＰＲＯＭ１０１４に記憶している。
【００６８】
送受信部２０１は、入力されたデータ列を変調、増幅し、又、受信した無線信号を増幅復調し受信データを出力する周波数ホッピングを用いたＴＤＭＡ方式の無線の送受信を行う無線ＩＣ１０１５と複数のアンテナを切り替えるスイッチ１０１６で実現されている。
【００６９】
ドアホン親機２ｂの外観図を図７に示す。
【００７０】
ドアホン親機２ｂの前面には、玄関子機２ａの来訪者の画像を映すＬＣＤパネル１０２０とキーマトリクススイッチ１０１８と来訪を光で表示するＬＥＤ１０１７がある。また、玄関子機２ａの来訪者と通話するためのマイク１０１５とスピーカ１０１６を有している。
【００７１】
この構成により、来訪者は、玄関子機２ａを用いて、室内の使用者と会話ができる。また、コードレス電話子機３ｂに対して玄関子機２ａと音声会話ができる。
【産業上の利用可能性】
【００７２】
本発明は、異なるサービスを提供する無線通信システム間を無線で接続する無線通信システムにおいて、無線エラーによるシステム障害が発生した場合、それぞれのサービスの利便性を損なわず、システム障害からの復旧を行うことができるので、複数の制御局と従属局間で時分割多重通信を行う無線通信システムに好適である。
【図面の簡単な説明】
【００７３】
【図１】本発明の実施の形態に係る無線通信システムの構成図
【図２】本発明の実施の形態に係る無線ドアホンシステムの構成図
【図３】本発明の実施の形態に係る無線通信システムの動作を説明するシーケンス図
【図４】本発明の実施の形態に係る無線通信システムの動作を説明するシーケンス図
【図５】本発明の実施の形態に係る無線通信システムの動作を説明するシーケンス図
【図６】本発明の実施の形態に係る無線通信システムのドアホン親機のハードウェア構成を示す図
【図７】本発明の実施の形態に係る無線通信システムのドアホン親機の外観図
【図８】コードレス電話システムと無線ドアホンシステムを備えた構成を示す図
【符号の説明】
【００７４】
１    無線通信システム
２    無線ドアホンシステム
２ａ    玄関子機
２ｂ    ドアホン親機
２ｃ    ドアホン子機
３    コードレス電話システム
３ａ    コードレス電話親機
３ｂ    コードレス電話子機
４    無線子機
１０１    ドアホン呼出検知部
１０２    ドアホン通話部
２０１    無線部
２０２    制御信号検出部
２０３    制御信号送信部
２０４    同期処理部
２０５    制御部
２０６    データ受信部
２０７    データ送信部
２０８    報知部
２０９    ドアホン親機操作部
２１０    ドアホン親機通話部
【図１】
0004752350.tif 000002
【図２】
0004752350.tif 000003
【図３】
0004752350.tif 000004
【図４】
0004752350.tif 000005
【図５】
0004752350.tif 000006
【図６】
0004752350.tif 000007
【図７】
0004752350.tif 000008
【図８】
0004752350.tif 000009